(57)【要約】【課題】正立状態及び倒立状態のいずれの姿勢においても、容易かつ正確に注出量を確認できる液体用容器を提供する。【解決手段】上端に注出口２１を有し内部に内容液を収納する容器本体２を備え、該容器本体２に、底面２４から前記注出口２１に向かって間隔をおいて付された、前記容器本体２の高さを示す複数の目盛線４２、４４、４６と、該目盛線４２、４４、４６に対応する表示３２、３４、３６とで目盛部１０が形成された液体用容器１において、前記目盛部１０は、文字、図形、記号及び色彩のいずれかが相互に異なる３以上の前記表示３２、３４、３６を前記容器本体２の高さ方向に並べて形成した表示群３０が、繰り返し形成されていることよりなる。【選択図】図１
2012184006.tif 000002
【特許請求の範囲】
【請求項１】
上端に注出口を有し内部に内容液を収納する容器本体を備え、該容器本体に、底面から前記注出口に向かって間隔をおいて付された、前記容器本体の高さを示す複数の目盛線と、該目盛線に対応する表示とで目盛部が形成された液体用容器において、
前記目盛部は、文字、図形、記号及び色彩のいずれかが相互に異なる３以上の前記表示を前記容器本体の高さ方向に並べて形成した表示群が、繰り返し形成されていることを特徴とする液体用容器。
【請求項２】
前記表示群は、相互に色彩の異なる前記表示を備え、前記目盛線は、これに対応する前記表示と同じ色彩であることを特徴とする、請求項１に記載の液体用容器。
【請求項３】
前記表示は、図形又は記号であることを特徴とする、請求項１又は２に記載の液体用容器。
【請求項４】
前記容器本体は、押圧されてその体積が減少し、内容液を前記注出口から注出することを特徴とする、請求項１〜３のいずれか１項に記載の液体用容器。
【発明の詳細な説明】
【技術分野】
【０００１】
本発明は、液体用容器に関する。
【背景技術】
【０００２】
液体洗浄剤、液体漂白剤、液体柔軟剤、シャンプー、リンス等の液体は、プラスチック製のボトル等の容器（液体用容器）に収納され、流通、保管されている。この液体用容器は、内部に内容液を収納し、内容液を注出する注出口が形成された容器本体を備えるものである。このような液体用容器の中には、容器本体に目盛線とこの目盛線に対応した数字とからなる目盛部が形成されているものがある。
容器本体に目盛部が形成されている場合、使用者は、この目盛部を目安にして、任意の量の内容液を注出する。
例えば、注出口を上方に向けた姿勢（正立状態）で、内容液の残量を目盛部で確認した後、注出口を下方に向けた姿勢（倒立状態）で内容液を注出する。その後、液体用容器を正立状態に戻し、内容液の残量を目盛部で確認し、内容液の注出前後における残量の差から注出量を算出する。
あるいは、倒立状態で、注出する前の内容液の残量を目盛部で確認した後、内容液の残量を目盛部で確認しながら、内容液を注出する。
多くの場合、目盛部の数字は、正立状態で読み取れるように形成されている。このため、注出口を下方に向けながら目盛部の数字を読み取るのは、煩雑であった。
【０００３】
こうした問題に対し、逆さにした状態で、残量を確認できる目盛を付けた哺乳瓶が提案されている（例えば、特許文献１）。特許文献１の発明によれば、授乳時の態様に対応した目盛、即ち倒立状態で読み取りやすいように数字が付されているため、授乳しながら残量を容易に確認できる。
また、正立状態で残量を確認する目盛と、倒立状態で残量を確認する目盛とを形成した哺乳瓶が提案されている（例えば、特許文献２）。特許文献２の発明によれば、正立状態及び倒立状態のいずれにおいても、内容液の残量を容易に確認できる。
あるいは、計量目盛毎に、文字や絵記号の符号が設けられた符号目盛付き薬瓶が提案されている（例えば、特許文献３）。特許文献３の発明によれば、文字や絵記号を鮮明に記憶させ、計量目盛の記憶違いの防止が図られている。
【先行技術文献】
【特許文献】
【０００４】
【特許文献１】特開２０００−２８８０７０号公報
【特許文献２】特開平１１−２２１２６９号公報
【特許文献３】特開平１１−１９１８１号公報
【発明の概要】
【発明が解決しようとする課題】
【０００５】
しかしながら、特許文献１〜２の発明では、倒立状態での目盛の読み取りが容易になるものの、使用者は、内容液の注出前に内容液の残量を記憶し、かつ記憶した残量から注出量を減算するため、操作を煩雑に感じる。
加えて、特許文献２の技術では、２種類の目盛が形成されているため、使用者が目盛を誤認するおそれがある。
また、特許文献３のように、単に計量目盛に文字や絵記号を付しても、計量目盛の記憶違いを十分に防止できない。
そこで、本発明は、正立状態及び倒立状態のいずれの姿勢でも、容易かつ正確に注出量を確認できる液体用容器を目的とする。
【課題を解決するための手段】
【０００６】
本発明の液体用容器は、上端に注出口を有し内部に内容液を収納する容器本体を備え、該容器本体に、底面から前記注出口に向かって間隔をおいて付された、前記容器本体の高さを示す複数の目盛線と、該目盛線に対応する表示とで目盛部が形成された液体用容器において、前記目盛部は、文字、図形、記号及び色彩のいずれかが相互に異なる３以上の前記表示を前記容器本体の高さ方向に並べて形成した表示群が、繰り返し形成されていることを特徴とする。
前記表示群は、相互に色彩の異なる前記表示を備え、前記目盛線は、これに対応する前記表示と同じ色彩であることが好ましく、前記表示は、図形又は記号であることがより好ましい。前記容器本体は、押圧されてその体積が減少し、内容液を前記注出口から注出することが好ましい。
【発明の効果】
【０００７】
本発明の液体用容器によれば、容器本体に、底面から注出口に向かって間隔をおいて付された、前記容器本体の高さを示す複数の目盛線と、該目盛線に対応する表示とで目盛部が形成された液体用容器において、前記目盛部は、文字、図形、記号及び色彩のいずれかが相互に異なる３以上の前記表示を前記容器本体の高さ方向に並べて形成した表示群が、繰り返し形成されているため、正立状態及び倒立状態のいずれの姿勢でも、容易かつ正確に注出量を確認できる。
本発明の液体用容器によれば、前記表示群は、相互に色彩の異なる前記表示を備え、前記目盛線は、これに対応する前記表示と同じ色彩であるため、より容易かつ正確に注出量を確認できる。
本発明の液体用容器によれば、前記表示は、図形又は記号であるため、より容易かつ正確に注出量を確認できる。
本発明の液体用容器によれば、前記容器本体は、押圧されてその体積が減少し、内容液を前記注出口から注出するため、倒立状態で容易かつ正確に任意の注出量を注出できる。
【図面の簡単な説明】
【０００８】
【図１】本発明の一実施形態にかかる液体用容器の正面図である。
【図２】本発明の一実施形態にかかる液体用容器の正面図である。
【図３】本発明の一実施形態にかかる液体用容器の正面図である。
【図４】本発明の一実施形態にかかる液体用容器の正面図である。
【図５】本発明の一実施形態にかかる液体用容器の正面図である。
【図６】本発明の一実施形態にかかる液体用容器の正面図である。
【図７】（ａ）本発明の液体用容器に用いられる注出弁の一例を示す平面図である。（ｂ）図７（ａ）のＢ−Ｂ断面図である。
【発明を実施するための形態】
【０００９】
本発明の一実施形態にかかる液体用容器について、以下に図面を参照して説明する。
図１に示すように、液体用容器１は、内部に内容液を収納する容器本体２と、容器本体２の口頸部２２に嵌合する蓋体（不図示）とを備えるものである。容器本体２は、有底略円筒状の胴部２０と、胴部２０の上端に設けられた有蓋略円筒状の口頸部２２とを備え、口頸部２２の上端面の略中央に注出口２１が形成されたものである。即ち、本実施形態の液体用容器１は、容器本体２を押圧し、その体積を減少させることで内容液を注出する、いわゆるスクイズタイプの容器である。
【００１０】
容器本体２の側面には、内容液の液位を示す目盛部１０が形成されている。目盛部１０は、容器本体２の底面２４から注出口２１に向かって間隔をおいて付された目盛線４２、４４、４６と、３つの表示群３０とを備えている。目盛線４２、４４、４６は、この順で底面２４から注出口２１に向かい繰り返し形成されている。
【００１１】
表示群３０は、目盛線４２に対応する表示３２と、目盛線４４に対応する表示３４と、目盛線４６に対応する表示３６とで形成されたものである。本実施形態において、表示３２は、星型の図形とされ、表示３４は、四角形の図形とされ、表示３６は、円形の図形とされている。また、表示３２、３４、３６は、相互に異なる色彩とされ、目盛線４２は表示３２と同じ色彩、目盛線４４は表示３４と同じ色彩、目盛線４６は表示３６と同じ色彩とされている。例えば、表示３２及び目盛線４２を黒色とし、表示３４及び目盛線４４を青色とし、表示３６及び目盛線４６を赤色とした態様が挙げられる。
即ち、本実施形態において、表示３２、３４、３６は、図形及び色彩が相互に異なるものとされ、目盛線４２、４４、４６は、色彩が相互に異なるものとされている。
こうして、目盛部１０は、底面２４から注出口２１に向かい、図形及び色彩が相互に異なる表示３２、３４、３６がこの順で繰り返し形成されたものとされている。
【００１２】
容器本体２の材質としては、押圧することにより体積が減少する程度に可撓性を有し、外部から内容液を視認できるものであればよく、例えば、ポリエチレン、ポリエチレンテレフタレート、ポリプロピレン、塩化ビニル、シリコンエラストマー、ウレタン等の樹脂等が挙げられる。
【００１３】
注出口２１の形状は、特に限定されず、用途に応じて決定できる。
注出口２１の口径は、内容液の粘度等を勘案して決定できる。
【００１４】
表示３２は、従来公知の方法により形成されたものであり、形成方法としては、例えば、シルクスクリーン印刷やタンポ印刷により印刷したり、予め目盛部１０を印刷したシュリンクラベル等のラベルを貼付したりするものが挙げられる。
表示３４は、表示３２と同様に形成でき、表示３６は、表示３２と同様に形成できる。
【００１５】
目盛線４２は、表示３２と同様に形成でき、目盛線４４は、表示３２と同様に形成でき、目盛線４６は、表示３２と同様に形成できる。
【００１６】
容器本体２に収納される内容液は、特に限定されず、例えば、液体洗浄剤、液体漂白剤、液体柔軟剤、シャンプー、リンス、液体調味料、液体油脂等が挙げられる。
【００１７】
次に、本実施形態の液体用容器１の使用方法を説明する。
第一の使用方法は、次の通りである。まず、容器本体２を、容器本体２の軸線Ｏ１が鉛直方向と平行で、かつ注出口２１が上方に向いた姿勢（正立状態）とし、内容液の液位を目盛群１０で確認する。この際、使用者は、内容液の残量（例えば、○○ｍＬ等の体積）を記憶するのではなく、内容液の液位を図形と色彩とで記憶する。加えて、表示３２、３４、３６の中から、所望する量を注出した後に至るべき液位を示す表示を確認する。この際、表示３２、３４、３６が図形であるため、使用者は注出後の残量を示す表示を記憶しやすい。加えて、表示３２、３４、３６の内の任意の表示と、これに隣接する表示とは、相互に図形及び色彩が異なるため、使用者は注出後の液位を示す表示を間違えることなく記憶できる。
【００１８】
次いで、容器本体２を、注出口２１を下方に向けた姿勢（倒立状態）とし、容器本体２を押圧し、内容液を注出口２１から注出する。なお、倒立状態は、注出口２１が下方に向き、内容液を注出できる姿勢であればよく、軸線Ｏ１が鉛直方向に平行で、かつ注出口２１が下方に向く姿勢のみならず、軸線Ｏ１が鉛直方向に対し任意の角度で交差している姿勢を含むものとする。
【００１９】
任意の量の内容物を注出した後、容器本体２を正立状態に戻し、内容液の液位を目盛部で確認する。この際、使用者は、注出前の液位を示す表示と、注出後に至るべき液位を示す表示とを取り違えることなく、液位を確認できる。
【００２０】
第二の使用方法は、倒立状態で内容液を注出しつつ、注出量を確認するものである。まず、容器本体２を倒立状態とし内容液の液位を確認すると共に、所望する量を注出した後に至るべき液位を示す表示を確認する。次いで、内容液の液位を確認しつつ、容器本体２を押圧して内容液を注出する。そして、内容液の液位が、注出後に至るべき液位を示す表示に至った時点で、内容液の注出を停止する。この際、使用者は、注出後に至るべき液位を示す表示を正確に記憶しているため、注出量を誤ることがない。
【００２１】
本実施形態によれば、図形及び色彩が相互に異なる３つの表示からなる表示群を繰り返し形成した目盛部が形成されているため、正立状態及び倒立状態のいずれの姿勢でも、容易かつ正確に注出量を確認できる。
加えて、目盛線は、これに対応する表示と同じ色彩とされているため、注出前又は注出後の液位を示す目盛線を記憶しやすい。
【００２２】
本発明は、上述の実施形態に限定されるものではない。
上述の実施形態では、表示群が３つの表示で形成されているが、本発明は、表示群が相互に異なる３つ以上の表示で形成されていればよく、表示群を形成する表示は、４つ以上であってもよい。ただし、使用者が、注出前後での液位を示す表示を記憶しやすくする観点から、表示群を構成する表示は３〜５つが好ましい。
【００２３】
５つの表示で表示群が形成された液体用容器について、図２を参照して説明する。なお、図１の液体用容器１と同じ構成には同じ符号を付してその説明を省略する。
図２に示す液体用容器１００は、容器本体１０２を備えるものであり、スクイズタイプの容器である。
容器本体１０２の側面には、内容液の液位を示す目盛部１１０が形成されている。目盛部１１０は、容器本体１０２の底面２４から注出口２１に向かって間隔をおいて付された目盛線１４２、１４４、１４６、１４８、１４９と、３つの表示群１３０とを備えている。目盛線１４２、１４４、１４６、１４８、１４９は、この順で底面２４から注出口２１に向かい繰り返し形成されている。
【００２４】
表示群１３０は、目盛線１４２に対応する表示１３２と、目盛線１４４に対応する表示１３４と、目盛線１４６に対応する表示１３６と、目盛線１４８に対応する表示１３８と、目盛線１４９に対応する表示１３９とで形成されたものである。本実施形態において、表示１３２は、星型の図形とされ、表示１３４は、ハート型の図形とされ、表示１３６は、四角形の図形とされ、表示１３８は、三角形の図形とされ、表示１３９は、円形の図形とされている。また、表示１３２、１３４、１３６、１３８、１３９は、相互に異なる色彩とされ、目盛線１４２は表示１３２と同じ色彩、目盛線１４４は表示１３４と同じ色彩、目盛線１４６は表示１３６と同じ色彩、目盛線１４８は表示１３８と同じ色彩、目盛線１４９は表示１３９と同じ色彩とされている。即ち、本実施形態において、表示１３２、１３４、１３６、１３８、１３９は、図形及び色彩が相互に異なるものとされ、目盛線１４２、１４４、１４６、１４８、１４９は、色彩が相互に異なるものとされている。
こうして、目盛部１１０は、底面２４から注出口２１に向かい、相互に図形及び色彩が異なる表示１３２、１３４、１３６、１３８、１３９がこの順で繰り返し形成されている。
【００２５】
上述の実施形態では、表示が、黒色、青色、赤色のいずれかの色彩とされているが、本発明は、これに限定されず、表示の色彩は、いかなるものであってもよく、無色が含まれるものとする。
上述の実施形態では、目盛線が、黒色、青色、赤色のいずれかの色彩とされているが、本発明は、これに限定されず、目盛線の色彩は、いかなるものであってもよく、無色が含まれるものとする。
【００２６】
上述の実施形態では、表示群を形成する３つの表示が、色彩が相互に異なるものとされているが、本発明はこれに限定されず、表示群を形成する表示の色彩が全て同じであってもよい。ただし、内容液の注出前後の液位をより容易に記憶させる観点から、目盛群を形成する表示は、色彩が相互に異なっていることが好ましい。
【００２７】
このような液体用容器について、図３を参照して説明する。なお、図１の液体用容器１と同じ構成には同じ符号を付してその説明を省略する。
図３に示す液体用容器２００は、容器本体２０２を備えるものであり、スクイズタイプの容器である。
容器本体２０２の側面には、内容液の液位を示す目盛部２１０が形成されている。目盛部２１０は、容器本体２０２の底面２４から注出口２１に向かって間隔をおいて付された複数の目盛線２４０と、３つの表示群２３０とを備えている。
【００２８】
表示群２３０は、底面２４から注出口２１に向かい、目盛線２４０に対応する表示２３２、２３４、２３６が、この順で形成されたものである。本実施形態において、表示２３２は、星型の図形とされ、表示２３４は、四角形の図形とされ、表示２３６は、円形の図形とされている。また、表示２３２、２３４、２３６は、全て同じ色彩とされ、目盛線２４０は、全て同じ色彩とされている。
即ち、本実施形態において、表示２３２、２３４、２３６は、図形が相互に異なるものとされている。
こうして、目盛部２１０は、底面２４から注出口２１に向かい、図形が相互に異なる表示２３２、２３４、２３６がこの順で繰り返し形成されている。
【００２９】
目盛線２４０は、例えば、シルクスクリーン印刷やタンポ印刷により印刷したもの、予め目盛部２１０を印刷したシュリンクラベル等のラベルを貼付して形成されたもの、容器本体２０２の側面に形成した凸部又は凹部であってもよい。
表示２３２は、目盛線２４０と同様であり、表示２３４は、目盛線２４０と同様であり、表示２３６は、目盛線２４０と同様である。
【００３０】
上述の実施形態では、１つの目盛線に１つの表示が形成されているが、本発明はこれに限定されず、２つ以上の目盛線に対し、１つの表示が形成されていてもよい。
【００３１】
このような表示が形成された液体用容器について、図４を参照して説明する。なお、図１の液体容器１、図３の液体容器２００と同じ構成には同じ符号を付してその説明を省略する。
図４に示す液体用容器３００は、容器本体３０２を備えるものであり、スクイズタイプの容器である。
容器本体３０２の側面には、内容液の液位を示す目盛部３１０が形成されている。目盛部３１０は、容器本体３０２の底面２４から注出口２１に向かって間隔をおいて付された複数の目盛線２４０と、この目盛線２４０同士の間に形成された補助目盛線３４２と、３つの表示群２３０とを備えている。
本実施形態において、補助目盛線３４２に対応する表示は形成されていない。
【００３２】
なお、液体用容器３００は、目盛線２４０同士の間に、１つずつ補助目盛線３４２が形成されたものであるが、目盛線２４０同士の間に形成される補助目盛線の数は２つ以上であってもよい。
目盛線同士の間に形成される補助目盛線の数は、１回当たりの内容液の注出量に応じて決定できる。
【００３３】
上述の実施形態では、表示が図形とされているが、表示は、アルファベット、平仮名、片仮名、数字等の文字、記号、図形又はこれらの組み合わせからなるものであればよい。中でも、記号、図形又はこれらの組み合わせが好ましく、それ自体が順序や内容量を意味しない記号又は図形がより好ましい。このような記号や図形を用いることで、使用者は、視認した表示を先入観なしで、誤認せずに記憶できる。なお、それ自体が順序や内容量を意味しない記号又は図形としては、円形、多角形、ハート、クラブ、スペード、ダイヤ、星型、花びら型等が挙げられる。
【００３４】
表示に文字を用いた液体用容器について、図５を参照して説明する。なお、図１の液体用容器１、図３の液体用容器２００と同じ構成には同じ符号を付してその説明を省略する。
図５に示す液体用容器４００は、容器本体４０２を備えるスクイズタイプの容器である。
【００３５】
容器本体４０２の側面には、内容液の液位を示す目盛部４１０が形成されている。目盛部４１０は、容器本体４０２の底面２４から注出口２１に向かって間隔をおいて付された複数の目盛線２４０と、３つの表示群４３０とを備えている。
【００３６】
表示群４３０は、底面２４から注出口２１に向かい、表示４３２、４３４、４３６が、この順で形成されたものである。本実施形態において、表示４３２は、「Ｃ」の文字とされ、表示４３４は、「Ｂ」の文字とされ、表示４３６は、「Ａ」の文字とされている。また、表示４３２、４３４、４３６は、全て同じ色彩とされている。
即ち、本実施形態において、表示４３２、４３４、４３６は、文字が相互に異なるものとされている。
こうして、目盛部４１０は、底面２４から注出口２１に向かい、文字が相互に異なる表示４３２、４３４、４３６がこの順で繰り返し形成されている。
【００３７】
上述の実施形態では、口頸部に形成された開口が注出口とされているが、本発明はこれに限定されず、例えば、図６に示す液体用容器５００のように、口頸部５２２に注出弁５５０が設けられていてもよい。この注出弁５５０について、図７を用いて説明する。図７（ａ）は、口頸部５２２の平面図であり、図７（ｂ）は、図７（ａ）のＢ−Ｂ断面図である。
【００３８】
図７（ａ）、（ｂ）に示すように、口頸部５２２は、略円筒状の側壁部５２６と、この側壁部５２６の上端を塞ぐ天壁部５２４とを備え、この天壁部５２４の略中央に開口部５２１が形成されている。開口部５２１には、軟質樹脂からなる注出弁５５０が設けられ、この注出弁５５０には、容器本体２０２内の圧力変動に応じて開閉するスリット５５４が形成されている。そして、注出弁５５０の上端を周縁とする開口部が、注出口５５１とされている。
【００３９】
本実施形態によれば、容器本体２０２内の圧力変動、即ち容器本体２０２を押圧したり、この押圧する力を解除したりすることでスリット５５４が開閉するスリット弁５５０を備えるため、内容液を所望する量で正確に注出できる。
【００４０】
上述の実施形態は、本発明をスクイズタイプの容器に適用したものであるが、本発明はこれに限定されず、例えば、トリガースプレータイプの容器に適用したものであってもよい。即ち、口頸部を、トリガーポンプを備えたトリガースプレー用の噴射装置としてもよい。
【符号の説明】
【００４１】
１、１００、２００、３００、４００、５００    液体用容器
２、１０２、２０２、３０２、４０２      容器本体
１０、１１０、２１０、３１０、４１０    目盛部
２１、５５１    注出口
２０      毛束
２４      底面
３０、１３０、２３０、４３０      表示群
３２、３４、３６、１３２、１３４、１３６、１３８、１３９、２３２、２３４、２３６、４３２、４３４、４３６    表示
４２、４４、４６、１４２、１４４、１４６、１４８、１４９、２４０    目盛線
３４２      補助目盛線
【図１】
2012184006.tif 000003
【図２】
2012184006.tif 000004
【図３】
2012184006.tif 000005
【図４】
2012184006.tif 000006
【図５】
2012184006.tif 000007
【図６】
2012184006.tif 000008
【図７】
2012184006.tif 000009